(57)【特許請求の範囲】
【請求項１】
ハーネスを構成するベルトの一端に連結される固定金具と、上記固定金具と組合わせて使用され上記ベルトの他端部を長さ調節自在にロックするスライドロック金具とからなるハーネスの長さ調節用バックルにおいて、上記の固定金具を、平坦な金属板により形成すると共に、その両側縁を同方向に屈曲して案内片を形成し、上記の両案内片の間に四角形の孔を設け、上記案内片と直角の上記孔の２側辺のうち、上記ベルトの一端が連結される方の側辺に上記案内片と同方向に屈曲された突片を設け、上記スライドロック金具を、平坦な金属板により形成すると共に、その両側縁に前記固定金具の案内片の内側に嵌まるロック案内片を形成し、該ロック案内片の間に前記の孔と同幅でかつロック案内片の長さ方向に並んで案内孔とロック孔とを設け、上記固定金具の案内片の内側に上記スライドロック金具をスライド自在に嵌合すると共に、固定金具の上記突片を該スライドロック金具の案内孔に挿通して組み合わせ、上記の突片の高さを、上記スライドロック金具を形成する金属板の板厚より大きくしたことを特徴とするハーネスの長さ調節用バックル。
【請求項２】
上記案内孔とロック孔との間の横バーのロック孔側の辺に、滑止め用の凹凸を設けたことを特徴とする請求項１に記載のハーネスの長さ調節用バックル。
【請求項３】
上記のスライドロック金具のロック案内片の長さが、上記の固定金具の案内片の長さとほぼ等しいことを特徴とする請求項１又は２に記載のハーネスの長さ調節用バックル。
【請求項４】
上記の固定金具の孔の上記突片と対向した側辺に、該突片と反対向きに湾曲されたロック片を設けたことを特徴とする請求項１から３のいずれかに記載のハーネスの長さ調節用バックル。
【発明の詳細な説明】
【０００１】
【発明の属する技術分野】
この発明は、高所作業用、パラシュート装着用等に用いられるハーネスの長さ調節用バックルに関するものである。
【０００２】
【従来の技術】
この種のバックルとして従来から用いられているものを図５に示す。このバックルは、固定金具１とスライドロック金具２の組合せからなる。固定金具１は、上半部において横方向の２本のスリット３、３の間に横バー４が形成され、下半分において案内孔５が設けられる。また、該固定金具１の両側辺の下端部に抜止め用の膨出部６、６が設けられる。
【０００３】
スライドロック金具２は、上記の固定金具１の前面側に重ねられると共に、その両端部に後面側に屈曲した屈曲案内部７が設けられ、その屈曲案内部７を固定金具１の両側辺にスライド自在に嵌合する。また、スライドロック金具２に横方向のスリット８が設けられる。
【０００４】
ベルト９の一端は、図５（ｂ）に示すように固定金具１の横バー４に掛けて引き戻し、縫着部１０で固定される。ベルト９の他端は固定金具１の案内孔５から挿通され、スライドロック金具２の前面側からスリット８に挿通されて引き戻される。引き戻されたベルト９の自由端１１を引っ張り、これをべルト９に予め挿通された留環１２に挿通する。
【０００５】
上記のバックルは、留環１２側のベルト９に引張荷重が作用すると、スライドロック金具２がその方向に引っ張られるため、スライドロック金具２と固定金具１との間でベルト９をロックさせる。長さを調整する際は、スライドロック金具２を上方に持ち上げベルト９のロックを解除することにより行う。
【０００６】
【発明が解決しようとする課題】
上記の従来のバックルは、固定金具１の上下幅に比べスライドロック金具２の上下幅が著しく小さく、従ってスライドロック金具２が傾きやすく、スムーズなスライドができ難いことがある。また、ロックを解除する際はスライドロック金具２を直接引き上げなければならないので、軽快な操作がし難い問題もある。
【０００７】
そこで、この発明は、長さ調節や掛け外しの操作が容易にできるハーネス用のバックルを提供することを課題とする。
【０００８】
【課題を解決するための手段】
上記の課題を解決するために、この発明は、ハーネスを構成するベルトの一端に連結される固定金具と、上記固定金具と組合わせて使用され上記ベルトの他端部を長さ調節自在にロックするスライドロック金具とからなるハーネスの長さ調節用バックルにおいて、上記の固定金具を、平坦な金属板により形成すると共に、その両側縁を同方向に屈曲して案内片を形成し、上記の両案内片の間に四角形の孔を設け、上記案内片と直角の上記孔の２内辺のうち、上記ベルトの一端が連結される方の側辺に上記案内片と同方向に屈曲された突片を設け、上記スライドロック金具を、平坦な金属板により形成すると共に、その両側縁に前記固定金具の案内片の内側に嵌まるロック案内片を形成し、該ロック案内片の間に前記の孔と同幅でかつロック案内片の長さ方向に並んで案内孔とロック孔とを設け、上記固定金具の案内片の内側に上記スライドロック金具をスライド自在に嵌合すると共に、固定金具の上記突片を該スライドロック金具の案内孔に挿通して組み合わせた構成としたものである。
【０００９】
更に、上記横案内孔とロック孔との間の横バーのロック孔側の辺に、滑止め用の凹凸を設けた構成、上記の突片の高さが、上記スライドロック金具を形成する金属板の板厚より大である構成、上記のスライドロック金具のロック案内片の長さが、上記の固定金具の案内片の長さとほぼ等しい構成をとることができる。
【００１０】
また、上記の固定金具の孔の上記突片と対向した側辺に、該突片と反対向きに湾曲されたロック片を設けた構成をとることができる。
【００１１】
【発明の実施の形態】
以下この発明の実施形態を図１から図４に基づいて説明する。
図１に示すように、実施形態のバックルは、固定金具２１とスライドロック金具２２とにより構成される。固定金具２１は平坦な金属板により形成され、その両側縁をそれぞれ外向き（ハーネスを装着した状態で人体の外側向き）に屈曲して案内片２３、２３が形成されている。上記の案内片２３、２３間に四角形の孔２４が設けられ、その孔２４の上記案内片２３と直角の２側辺のうち、後述のベルト２５（図１（ｃ）参照）の一端が連結される方の側辺、即ちハーネスに取り付けた状態で上方となる側辺に外向きの突片２６が屈曲形成される。この突片２６の高さは、図１（ｂ）に示すようにスライドロック金具２２を形成する金属板の板厚より若干高く形成される。
【００１２】
また、上記の突片２６と対向した側辺に、該突片２６とは反対向き（内向き）にほぼ板厚の程度湾曲されたロック片３７が設けられる。
【００１３】
なお、上記の突片２６の両端と孔２４の左右両側辺との間には、図１（ｃ）に示すように間隙２７が設けられる。
【００１４】
スライドロック金具２２も平坦な金属板により形成され、その両側縁に前記の固定金具２１の案内片２３、２３の内側に適当な嵌合すき間を以て嵌まるロック案内片２８、２８が同じく外向きに形成される。上記のロック案内片２８、２８の間に案内孔２９とロック孔３１が上下方向に並んで設けられる。これらの各孔２９、３１は前記の孔２４と同一の幅に形成され、各孔２９、３１の間に横バー３２が設けられる。横バー３２の下辺、即ちロック孔３１側の辺に波形の滑り止め用の凹凸３３が形成される。
【００１５】
上記のロック案内片２８の上下方向の長さは、前記の案内片２３の長さと等しいか、やや短い程度である。
【００１６】
上記のスライドロック金具２２は固定金具２１の案内片２３、２３の間において、上下方向にスライド自在に嵌合される。また、突片２６が案内孔２９に挿通されて固定金具２１に対するスライドロック金具２２のスライド範囲を制限する。
【００１７】
上記の固定金具２１の孔２４と、スライドロック金具２２の案内孔２９及びロック孔３１の関係は、図２（ａ）に示すように、孔２４の中間部分に横バー３２が存在するようにスライドロック金具２２を位置せしめた状態で、突片２６と横バー３２との間に幅Ａの間隔が存在し、また横バー３２の下辺と孔２４の下辺との間に幅Ｂの間隔が存在する。上記の幅Ａの間隔はベルト３７の固定側端部を挿通する余裕を与え、また幅Ｂの間隔は後述のベルト３７’の自由端側の端部を挿通する余裕を与える。
【００１８】
また、スライドロック金具２２がベルト３７’に引かれて、図２（ａ）の矢印ａの方向に移動して図２（ｂ）に示すロック状態（前記の幅Ｂが幅Ｂ’に減少してベルト３７’を挟着する状態）になった場合、スライドロック金具２２の案内孔２９の上端辺と突片２６の間に幅Ｃで示す間隔があり、その間隔によりスライドロック金具２２の下方への移動余裕を与え、ベルト３７’を強く挟着する。この場合、ロック片３０はベルト３７’に鋭い屈曲を与え一層強くロック状態を保持する。
【００１９】
実施形態にかかるバックルは以上のごときものであり、図３及び図４はこのバックル３４、３４’を高所作業用のハーネス３５に用いた例を示している。このハーネス３５の基本構造は、人体３６（図４参照）の右胸前面と左胸部前面にそれぞれ右バックル３４、左バックル３４’として配置される。
【００２０】
右バックル３４に連結固定された第１ベルト３７の自由端３８が左バックル３４’に長さ調節自在に連結される。また、左バックル３４’に連結固定された第２ベルト３７’の自由端３８’が右バックル３４に長さ調節自在に連結される。
【００２１】
第１ベルト３７の固定端は、図１（ｂ）に示すように、スライドロック金具２２の前面側からその案内孔２９及び固定金具２１の孔２４をへて後面側に引き出され、輪３９を作ってベルト３７の内側に添えられ、縫着部４０において固定される。この輪３９は、スライドロック金具２３の板厚より高い突片２６により持ち上げられるため、輪３９の内部においてスライドロック金具２２がスムーズに移動しうる空間が確保される。
【００２２】
また、第２ベルト３７’の自由端３８’は、固定金具２１に後面側からその孔２４に挿通され、スライドロック金具２２の横バー３２に掛け、更に孔２４及びロック片３０を経て後面側に引き戻される。
【００２３】
ベルト３７’に下向きの荷重が作用すると、スライドロック金具２２が下方に引下げられ、横バー３２の凹凸３３のある辺と、固定金具２１のロック片３０との間でベルト３７’を挟着し、移動が不可能のようにロックする。
【００２４】
上記のロックを解除する際は、図１（ｂ）に一点鎖線で示すようにスライドロック金具２２の上端を支点として下端部分を前方に若干回動させると、ベルト３７’の挟着が外れ、ロックが解除される。これにより、ベルト３７’の自由端側の長さを自由に調整することができる。ロックの解除は固定金具２１とスライドロック金具２２とを、輪３９の部分を中心にして前方に若干回動させることによっても行われる。スライドロック金具２２は、ベルト３７’の自由端３８’を引っ張って締める場合、あるいはロックを解除して自由端３８’を弛める場合のいずれにおいてもそのロック案内片２８がこれとほぼ長さの等しい固定金具２１の案内片２３の内側に沿って移動するため、嵌合すき間の範囲内でスライドロック金具２２が傾いても、その傾き角は小さいので、スライドロック金具２２はスムーズに移動する。
【００２５】
以上の作用は右バックル３４について述べたが、左バックル３４’についても同様である。
【００２６】
なお、図３、図４において、４１は背面バックル、４２は腰部バックル、４３は固定バックル、４４は尻当てベルト、４５は胸ベルトである。
【００２７】
【発明の効果】
以上のように、この発明にかかるバックルは、固定金具に対するスライドロック金具の移動がスムーズであり、またベルトのロックを容易に解除することができる。このため、ハーネスの人体に対する着脱や、長さの調節を容易に行うことができる。
【図面の簡単な説明】
【図１】（ａ）実施形態の分解斜視図
（ｂ）同上の使用状態の断面図
（ｃ）（ｂ）図のｃ−ｃ線の断面図
【図２】（ａ）  実施形態の正面図
（ｂ）  同上のロック状態の正面図
【図３】同上のハーネスに使用した状態の斜視図
【図４】同上のハーネスに使用した装着状態の正面図
【図５】（ａ）従来例の分解斜視図
（ｂ）同上の使用状態の断面図
【符号の説明】
２１  固定金具
２２  スライドロック金具
２３  案内片
２４  孔
２６  突片
２７  間隙
２８  ロック案内片
２９  案内孔
３０  ロック片
３１  ロック孔
３２  横バー
３３  凹凸
３４、３４’  バックル
３５  ハーネス
３６  人体
３７  第１ベルト
３７’  第２ベルト
３８、３８’  自由端
３９  輪
４０  縫着部
４１  背面バックル
４２  腰部バックル
４３  固定バックル
４４  尻当てベルト
４５  胸ベルト
【図１】
0003935607.tif 000002
【図２】
0003935607.tif 000003
【図３】
0003935607.tif 000004
【図４】
0003935607.tif 000005
【図５】
0003935607.tif 000006